(57)【特許請求の範囲】
【請求項１】
外装体と、前記外装体の内面に内装体を備えた使い捨ておむつにおいて、
前記内装体を、身体面側に設けられた液透過性の表面シートと、反身体側に設けられた液不透過性の裏面シートと、前記表面シートと裏面シートの間に設けられた吸収体で形成し、
前記内装体の縦方向の前後端部を外装体の内面に固定し、
前記内装体の前端部の前後方向の長さを吸収体の前後方向の長さの１０％以下に形成し、前記内装体の後端部の前後方向の長さを吸収体の前後方向の長さの１０％以下に形成し、
前記内装体の裏面シートの反身体側における外装体の脚開口部に近接する部位に止着部を設け、
平面視において、前記止着部を、前記内装体の吸収体の股間部の括れ部分よりも外側に位置させたことを特徴とする使い捨ておむつ。
【請求項２】
前記吸収体の前端部の後側近傍部の両側部に第１切欠き部を形成し、前記吸収体の後端部の前側近傍部の両側部に第２切欠き部を形成した請求項１記載の使い捨ておむつ。
【請求項３】
前記第２切欠き部を第１切欠き部よりも大きく形成した請求項２記載の使い捨ておむつ。
【請求項４】
前記裏面シートの反身体側に幅方向に所定の間隔を隔てて縦方向に延在する外部から視認できる色つきラインを設けた請求項１〜３のいずれか１項に記載の使い捨ておむつ。
【発明の詳細な説明】
【技術分野】
【０００１】
本発明は、使い捨ておむつに関するものであり、特に、装着者の横向き臥位姿勢に合わせて使い捨ておむつの内装体の位置を移動させることができる使い捨ておむつに関するものである。
【背景技術】
【０００２】
従来、装着者に使い捨ておむつを装着した状態で、装着者の体型に合わせて使い捨ておむつの装着位置を調整するために、使い捨ておむつの内装体の長手方向の一側端部を外装体のウエスト開口部を超えて延在させて外装体の後身頃の外面に係止する手段が提案されている。（特許文献１）
【０００３】
また、装着者に使い捨ておむつを容易に装着するために、使い捨ておむつの内装体の長手方向の前後部の幅方向中央部を外装体に固定して、この幅方向中央部の両側部を外装体に非固定とすることにより吸収体の両側部を容易に変形させる手段が提案されている。（特許文献２）
【先行技術文献】
【特許文献】
【０００４】
【特許文献１】特開２０１４−１４４１２号公報
【特許文献２】特開２００８−１９４１６１号公報
【発明の概要】
【発明が解決しようとする課題】
【０００５】
しかし、特許文献１の手段では、吸収体を有する内装体における装着者の股間部に対向する部位を横向き臥位姿勢に合わせて容易に上下方向に移動することができない恐れがある。
【０００６】
また、特許文献２の手段では、吸収体の長手方向の前後部を外装体に固定するために、吸収体における外装体と非固定である股間部の前後方向長さが短いために、装着者の横向き臥位姿勢に合わせて吸収体の股間部を十分に上下方向に移動することができない恐れがある。
【０００７】
そこで、本発明の主たる課題は、装着者の横向き臥位姿勢に合わせて吸収体を有する内装体を上下方向に移動させて排泄物の外部への漏れ出しを防止することができる使い捨ておむつを提供することにある。
【課題を解決するための手段】
【０００８】
上記課題を解決した本発明は次記のとおりである。
請求項１に係る発明は、外装体と、前記外装体の内面に内装体を備えた使い捨ておむつにおいて、
前記内装体を、身体面側に設けられた液透過性の表面シートと、反身体側に設けられた液不透過性の裏面シートと、前記表面シートと裏面シートの間に設けられた吸収体で形成し、
前記内装体の縦方向の前後端部を外装体の内面に固定し、
前記内装体の前端部の前後方向の長さを吸収体の前後方向の長さの１０％以下に形成し、前記内装体の後端部の前後方向の長さを吸収体の前後方向の長さの１０％以下に形成し、
前記内装体の裏面シートの反身体側における外装体の脚開口部に近接する部位に止着部を設け、
平面視において、前記止着部を、前記内装体の吸収体の股間部の括れ部分よりも外側に位置させたことを特徴とする使い捨ておむつである。
【０００９】
【００１０】
請求項２に係る発明は、前記吸収体の前端部の後側近傍部の両側部に第１切欠き部を形成し、前記吸収体の後端部の前側近傍部の両側部に第２切欠き部を形成した請求項１記載の使い捨ておむつである。
【００１１】
請求項３に係る発明は、前記第２切欠き部を第１切欠き部よりも大きく形成した請求項２記載の使い捨ておむつである。
【００１２】
【００１３】
【００１４】
請求項４に係る発明は、前記裏面シートの反身体側に幅方向に所定の間隔を隔てて縦方向に延在する外部から視認できる色つきラインを設けた請求項１〜３のいずれか１項に記載の使い捨ておむつである。
【発明の効果】
【００１５】
請求項１記載の発明によれば、内装体を、身体面側に設けられた液透過性の表面シートと、反身体側に設けられた液不透過性の裏面シートと、表面シートと裏面シートの間に設けられた吸収体で形成し、内装体の縦方向の前後端部を外装体の内面に固定したので、装着者が横向き臥位姿勢を取った場合は、内装体の縦方向の前端部と後端部の間の部位を下側方向に移動させて吸収体の全域で排泄物を吸収することができる。
【００１６】
また、内装体の前端部の前後方向の長さを吸収体の前後方向の長さの１０％以下に形成し、内装体の後端部の前後方向の長さを吸収体の前後方向の長さの１０％以下に形成したので、装着者が横向き臥位姿勢を取った場合は、内装体の縦方向の前端部と後端部の間の部位を下側方向に移動させて吸収体の幅方向の中心部を装着者の排泄位置に移動させることができる。
さらに、内装体の裏面シートの反身体側における外装体の脚開口部に近接する部位に止着部を設け、平面視において、止着部を、内装体の吸収体の股間部の括れ部分よりも外側に位置させたので、内装体の縦方向の前端部と後端部の間の部位を下側方向に移動させた内装体の状態を維持することができる。
【００１７】
請求項２記載の発明によれば、請求項１記載の発明による効果に加えて、吸収体の前端部の後側近傍部の両側部に第１切欠き部を形成し、吸収体の後端部の前側近傍部の両側部に第２切欠き部を形成したので、装着者が横向き臥位姿勢を取った場合は、内装体の縦方向の前端部と後端部の間の部位を下側方向に容易に移動させることができる。
【００１８】
請求項３記載の発明によれば、請求項２記載の発明による効果に加えて、第２切欠き部を第１切欠き部よりも大きく形成したので、外装体の後身頃に偏倚して設けられた吸収体の後部を下側方向に容易、且つ大きく移動させることができる。
【００１９】
【００２０】
【００２１】
請求項４記載の発明によれば、請求項１〜３のいずれか１項に記載の発明による効果に加えて、裏面シートの反身体側に幅方向に所定の間隔を隔てて縦方向に延在する外部から視認できる色つきラインを設けたので、内装体の縦方向の前端部と後端部の間の部位を下側方向に移動させた吸収体の位置が適切な位置にあることを容易に確認することができる。
【図面の簡単な説明】
【００２２】
【図１】第１実施形態の展開状態の使い捨ておむつの内面平面図である。
【図２】第１実施形態の展開状態の使い捨ておむつの外面平面図である。
【図３】図１のＣ−Ｃ断面図である。
【図４】図１のＡ−Ａ断面図である。
【図５】図１のＢ−Ｂ断面図である。
【図６】第２実施形態の展開状態の使い捨ておむつの外面平面図である。
【図７】第３実施形態の展開状態の使い捨ておむつの外面平面図である。
【図８】第４実施形態の展開状態の使い捨ておむつの外面平面図である。
【図９】第５実施形態の展開状態の使い捨ておむつの外面平面図である。
【図１０】使い捨ておむつの装着状態の斜視図である。
【発明を実施するための形態】
【００２３】
＜第１実施形態の使い捨ておむつ＞
本発明の装着者の横向き臥位姿勢に合わせて内装体の位置を移動させることができる第１実施形態の使い捨ておむつについて図面を参照しながら説明する。図１，２に示すように、使い捨ておむつは、前身頃Ｆと後身頃Ｂを有する外装体２０と、外装体２０の装着者の身体面側に位置する内面に固定された内装体１０から形成されている。
【００２４】
（内装体）
図３〜５に示すように、内装体１０は、液透過性の表面シート１１と、液不透過性の裏面シート１２と、表面シート１１と裏面シート１２の間に設けられた吸収体１３と、吸収体１３の幅方向の両側部に設けられた立体ギャザーＢＳから形成されている。また、平面視における内装体１０の形状は、一般的に略長方形形状に形成されている。なお、図３〜５のドッドは、ホットメルト接着剤等により固定させた部位を示している。
【００２５】
表面シート１１としては、有孔または無孔の不織布や多孔性プラスチックシート等が好ましい。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。表面シート１１に多数の透孔を形成した場合には、尿等が速やかに吸収されるようになり、ドライタッチ性に優れたものとなる。表面シート１１の側部は、裏面シート１２と吸収体１３の側部を巻込んで吸収体１３の外面まで延在している。
【００２６】
裏面シート１２としては、ポリエチレンまたはポリプロピレン等の液不透過性プラスチックシートが用いられるが、近年はムレ防止の点から透湿性を有するものが好ましい。遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。裏面シート１２の側部は、折り返されて吸収体１３の外面まで延在している。
【００２７】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。また、吸収体１３は、高吸収性ポリマー等の脱落を防止するために、液透過性のクレープ紙等の包装シート１４によって包装されている。
【００２８】
平面視における吸収体１３の形状は、股間部に括れ部分１３Ｎを有する略砂時計形状に形成されているが、長方形状等に形成することもできる。括れ部分１３Ｎの寸法は、適宜定めることができるが、装着者に使い捨ておむつをフィットさせるために、括れ部分１３Ｎの縦方向の長さを使い捨ておむつの縦方向の長さの２０〜５０％にして、括れ部分１３Ｎの幅方向の最狭幅を吸収体１３の幅方向の幅の４０〜６０％にするのが好ましい。
【００２９】
立体ギャザーＢＳは、内装体１０の幅方向の両側部に形成されている。立体ギャザーＢＳは、内装体１０の外面の側部に固定された固定部と、固定部から内装体１０の側部を経て内装体１０の内面の側部まで延在する本体部から形成されている。また、本体部の縦方向の前後端部は、内装体１０の内面上に固定され、本体部の縦方向の中間部は、内装体１０の内面上に固定されず内面に向かって起立する。立体ギャザーＢＳは、２重の立体ギャザーシート１５と縦方向に延在する細長状の立体ギャザー弾性部材１６から形成されている。
【００３０】
立体ギャザーシート１５としては、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらに立体ギャザーシート１５については、尿等の透過を防止するとともに、カブレを防止しかつ肌への感触性（ドライ感）を高めるために、シリコン系、パラフィン金属系、アルキルクロミッククロイド系撥水剤等をコーティングした撥水処理不織布を用いるのが好ましい。
【００３１】
立体ギャザー弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするために、太さは９２５ｄｔｅｘ以下、伸長率は１５０〜３５０％、間隔は１０．０ｍｍ以下とするのが好ましい。なお、図４に二点鎖線で示すように、立体ギャザー弾性部材１６は、その伸縮力によって立体ギャザーＢＳを内面に向かって起立させ、糸状の他、所定の幅を有するテープ状のものを用いることもできる。また、本明細書においては、伸長率は、伸長時の長さ／自然長の長さ・１００[％]で算出している。
【００３２】
図２に示すように、内装体１０の裏面シート１２の縦方向の前後端部１２Ａ，１２Ｂは、外装体２０の内側シート２０Ａの内面にホットメルト等の接着剤によって固定され、内装体１０の裏面シート１２の縦方向の前端部１２Ａと後端部１２Ｂの間に位置する中間部は、外装体２０の内側シート２０Ａの内面に固定されていない。これにより、装着者が横向き臥位姿勢を取った場合には、内装体１０の縦方向の中間部を幅方向の左右方向に移動、すなわち、内装体１０の縦方向の中間部を下側方向に移動させて、内装体１０の吸収体１３の幅方向の中心部を装着者の排泄位置に移動させて吸収体１３の全域で排泄物を吸収でき排泄物の外部への漏れ出しを防止することができる。また、内装体１０の縦方向の中間部を下側方向に移動させて、装着者の脚部と内装体１０の立体ギャザーＢＳの先端部の間隔を小さくして装着者の脚部に確実に立体ギャザーＢＳの先端部を当接させることができ排泄物の外部への漏れ出しを防止することができる。
【００３３】
内装体１０の裏面シート１２の縦方向の前端部１２Ａは、包装シート１４の縦方向の前端から吸収体１３の縦方向の前端部に対向する部位をいい、本明細書においては吸収体１３の縦方向の前端部とは、吸収体１３の縦方向の全長の１０％を占める前部部位をいうものとする。
【００３４】
また、内装体１０の裏面シート１２の縦方向の後端部１２Ｂは、包装シート１４の縦方向の後端から吸収体１３の縦方向の後端部に対向する部位をいい、本明細書においては吸収体１３の縦方向の後端部とは、吸収体１３の縦方向の全長の１０％を占める後部部位をいうものとする。
【００３５】
＜第２実施形態の使い捨ておむつ＞
本発明の第２実施形態の使い捨ておむつについて図６を参照しながら説明する。なお、図６には、第２実施形態の使い捨ておむつを理解しやすくするために、外装体２０のウエスト部弾性部材２４等の図示を省略している。また、第１実施形態の使い捨ておむつと同一部材には同一符号を付して説明を省略する。
【００３６】
図６に示すように、内装体１０の吸収体１３の縦方向の前部１３Ａの幅方向の両側部には、略三角形形状の切欠き部（請求項における「第１切欠き部」）３０Ａが形成され、後部１３Ｂの幅方向の両側部には、略三角形形状の切欠き部（請求項における「第２切欠き部」）３０Ｂが形成されている。これにより、装着者が横向き臥位姿勢を取った場合に、内装体１０の縦方向の中間部を幅方向の左右方向に容易に移動、すなわち、内装体１０の縦方向の中間部を下側方向に容易に移動させることができる。
【００３７】
吸収体１３の縦方向の前部１３Ａとは、吸収体１３における外装体２０の前身頃Ｆの胴回り部Ｔの縦方向の後部に対向する部位をいい、吸収体１３の縦方向の後部１３Ｂとは、吸収体１３における外装体２０の後身頃Ｂの胴回り部Ｔの縦方向の前部に対向する部位をいう。
【００３８】
切欠き部３０Ａ，３０Ｂは、同一形状、異形形状に形成することができ、内装体１０が外装体２０の後身頃Ｂに向かって偏倚して設けられているために切欠き部３０Ｂを切欠き部３０Ａよりも大きな形状にするのが好ましい。なお、切欠き部３０Ａ，３０Ｂの形状は、半円弧形状、台形形状に形成することもできる。
【００３９】
＜第３実施形態の使い捨ておむつ＞
本発明の第３実施形態の使い捨ておむつについて図７を参照しながら説明する。なお、図７には、第３実施形態の使い捨ておむつを理解しやすくするために、外装体２０のウエスト部弾性部材２４等の図示を省略している。また、第１実施形態の使い捨ておむつと同一部材には同一符号を付して説明を省略する。
【００４０】
図７に示すように、内装体１０の裏面シート１２の縦方向と幅方向の中央部には、内装体１０を外装体２０の内側シート２０Ａに係止する縦方向の前後方向に延在する係止部を有する止着部材３２が設けられている。これにより、装着者が横向き臥位姿勢を取った場合に、内装体１０の縦方向の中間部を幅方向の左右方向に移動、すなわち、内装体１０の縦方向の中間部を下側方向に移動させた内装体１０の移動状態を維持することができる。
【００４１】
係止部としては、メカニカルファスナーのフック材が好ましい。フック材は、多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状等が存在するが、いずれの形状であっても良く、また、係止部に替えて粘着部を設けることもできる。
【００４２】
＜第４実施形態の使い捨ておむつ＞
本発明の第４実施形態の使い捨ておむつについて図８を参照しながら説明する。なお、図８には、第４実施形態の使い捨ておむつを理解しやすくするために、外装体２０のウエスト部弾性部材２４等の図示を省略している。また、第１実施形態の使い捨ておむつと同一部材には同一符号を付して説明を省略する。
【００４３】
図８に示すように、内装体１０の裏面シート１２の幅方向の両側部における外装体２０の脚開口部Ｌに近接する部位には、幅方向の左右側部にそれぞれ２個の矩形形状に形成された係止部を有する止着部材３４が設けられている。これにより、装着者が横向き臥位姿勢を取った場合に、内装体１０の縦方向の中間部を幅方向の左右方向に移動、すなわち、内装体１０の縦方向の中間部を下側方向に移動させた内装体１０の移動状態を維持することができ、また、内装体１０の立体ギャザーＢＳの先端部を装着者の脚部により確実に当接させることができる。
【００４４】
＜第５実施形態の使い捨ておむつ＞
本発明の第５実施形態の使い捨ておむつについて図９を参照しながら説明する。なお、図９には、第５実施形態の使い捨ておむつを理解しやすくするために、外装体２０のウエスト部弾性部材２４等の図示を省略している。また、第１実施形態の使い捨ておむつと同一部材には同一符号を付して説明を省略する。
【００４５】
図９に示すように、内装体１０の裏面シート１２には、幅方向に所定の間隔を隔てて縦方向の前後方向に延在する２本の色付きライン３６が設けられている。これにより、装着者が横向き臥位姿勢を取った場合に、内装体１０の縦方向の中間部を幅方向の左右方向に移動、すなわち、内装体１０の縦方向の中間部を下側方向に移動させる内装体１０の位置が適切な位置にあることを容易に確認することができる。なお、内装体１０の裏面シート１２は、排便や尿等の褐色が出ないように不透明のものを用いるのが好ましい。不透明化としては、プラスチック中に、炭酸カルシウム、酸化チタン、酸化亜鉛、ホワイトカーボン、クレイ、タルク、硫酸バリウム等の顔料や充填材を内添してフィルム化したものが好ましい。
【００４６】
（外装体）
図１，２に示すように、外装体２０は、装着者の腹側に対向する前身頃Ｆと背側に対向する後身頃Ｂが一体的に形成され、前身頃Ｆと後身頃Ｂの幅方向の両側部は固定されサイドシール部２１を形成する。これにより、図１０に示すように、装着者の胴を通すためのウエスト開口と脚を通すための左右一対の脚開口が形成されている。
【００４７】
外装体２０は、サイドシール部２１を有する縦方向の前後領域である胴周り部Ｔと、前後の胴周り部Ｔを連結する脚開口部Ｌから形成されている。また、胴周り部Ｔは、概念的にウエスト開口部に位置するウエスト部Ｗと、ウエスト部Ｗよりも脚開口部Ｌ側に位置するウエスト下方部Ｕから形成されている。
【００４８】
図３〜５に示すように、外装体２０は、内側シート２０Ａと外側シート２０Ｂから形成され、内側シート２０Ａと外側シート２０Ｂの間、外側シート２０Ｂにおけるウエスト開口部で内面側に折り返した折り返し部２０Ｃの間には、弾性部材２４〜２８が設けられている。また、平面視において外装体２０の幅方向の両側部には、脚開口を形成する凹状の脚周りライン２９に沿って切断されて略砂時計形状に形成されている。なお、内側シート２０Ａと外側シート２０Ｂとしては、表面シート１１と同様に不織布で形成するのが好ましい。なお、外装体２０の外側シート２０Ｂは、バックシートと呼ばれることがある。
【００４９】
外装体２０の前身頃Ｆと後身頃Ｂのウエスト部Ｗには、縦方向に所定の間隔を隔てて幅方向に延在する複数の細長状のウエスト部弾性部材２４が設けられ、ウエスト下方部Ｕには、縦方向に所定の間隔を隔てて幅方向に延在する複数の細長状のウエスト下方部弾性部材２５が設けられている。また、外装体２０の脚開口部Ｌには、幅方向に所定の間隔を隔てて脚周りライン２９に沿って延在する複数の細長状の脚開口部弾性部材２７が設けられ、外装体２０の前身頃Ｆには、幅方向に所定の間隔を隔ててサイドシール部２１から脚周りライン２９に沿って延在する複数の細長状の湾曲弾性部材２８が設けられ、外装体２０の後身頃Ｂには、幅方向に所定の間隔を隔ててサイドシール部２１から脚周りライン２９に沿って延在する複数の細長状の湾曲弾性部材２６が設けられている。
【００５０】
成人用の使い捨ておむつの場合、ウエスト部弾性部材２４の伸長率は１６０〜３２０％、ウエスト下方部弾性部材２５と脚開口部弾性部材２７の伸長率は１６０〜３２０％、湾曲弾性部材２６，２８の伸長率は２３０〜３２０％にすることが好ましい。これにより、外装体２０を装着者に密着させることができる。
【００５１】
図１等に示すように、外装体２０の前身頃Ｆの内面上には、内装体１０の縦方向の前部を覆って、排泄物の前部からの漏れ出しを防止する不織布から形成された前押えシート５０が設けられ、外装体２０の後身頃Ｂの内面上には、内装体１０の縦方向の後部を覆って、排泄物の後部からの漏れ出しを防止する不織布から形成された後押えシート６０が設けられている。なお、前押えシート５０は、前身頃Ｆの折り返し部２０Ｃの後部から内装体１０の前端部と重なる位置まで延在し、後押えシート６０は、後身頃Ｂの折り返し部２０Ｃの前部から内装体１０の後端部と重なる位置まで延在している。  
【産業上の利用可能性】
【００５２】
本発明は、使い捨ておむつに利用できるものである。
【符号の説明】
【００５３】
１０      内装体
１１      表面シート
１２      裏面シート
１２Ａ    前端部
１２Ｂ    後端部
１３      吸収体
２０    外装体
３０Ａ    切欠き部（第１切欠き部）
３０Ｂ    切欠き部（第２切欠き部）
３２      止着部材
３４      止着部材
３６      色付きライン
【図１】
0006396358.tif 000002
【図２】
0006396358.tif 000003
【図３】
0006396358.tif 000004
【図４】
0006396358.tif 000005
【図５】
0006396358.tif 000006
【図６】
0006396358.tif 000007
【図７】
0006396358.tif 000008
【図８】
0006396358.tif 000009
【図９】
0006396358.tif 000010
【図１０】
0006396358.tif 000011